(57)【特許請求の範囲】
【請求項１】
平面のセクション（３）を有するユニット型容器（１）を含み、平面のセクション（３）は側壁（４）に隣接し、それによって、平面のセクション（３）と側壁（４）とは互いに対して旋回可能に接続されて、容器（１）は、容器（１）が実質的に平坦である潰された構成と容器（１）の内部への側部開口部（６）および頂部開口部（５）を規定する組立てられた構成との間において可動であり、頂部開口部（５）は、平面のセクション（３）に対向し、かつ平面のセクション（３）から間隔をおかれ、さらに、
カバーフレーム（８）と、
容器（１）の頂部開口部（５）を閉じるように側壁（４）にカバーフレーム（８）を固定するためのロッキング手段（２０）とを含み、該ロッキング手段（２０）は、カバーフレーム（８）および側壁（４）の一方に形成された複数のロッキング部分（２１）と、カバーフレーム（８）および側壁（４）の他方に形成された複数のロッキング窪み（２２）とを含み、ロッキング部分（２１）はロッキング窪み（２２）における確実な係合に対して適合され、
それによって、ロッキング手段（２０）は、カバーフレーム（８）および側壁（４）の一方に形成されたロッキング部分（２１）と、カバーフレーム（８）および側壁（４）の他方の１つに形成されたロッキング窪み（２２）とを含み、ロッキング部分（２１）はロッキング窪み（２２）における確実な係合に対して適合され、
容器（１）は、容器（１）の側壁（４）に位置決めされた支持脚部を含む、側壁を安定させる手段（５０）を含み、
容器（１）が組立てられた構成にあるとき、支持脚部（５１）は容器（１）の平面のセクション（３）と係合し、それによって側壁が容器（１）の内部（７）内に折畳むのを防ぎ、
側壁を安定させる手段（５０）は、容器（１）の内部（７）への側部開口部（６）に近接して設けられる、収納装置。
【請求項２】
カバーフレーム（８）は下方へ突出するスカート（１７）を含み、ロッキング部分（２１）およびロッキング窪み（２２）の一方はスカート（１７）上にあり、ロッキング部分（２１）およびロッキング窪み（２２）の他方は容器の側壁（４）上にある、請求項１に記載の収納装置。
【請求項３】
ロッキング手段（２０）は、カバーフレーム（８）および側壁（４）の一方に形成された４対のロッキング部分（２１）と、カバーフレーム（８）および側壁（４）の他方に形成された４対のロッキング窪み（２２）とを含み、ロッキング部分（２１）はロッキング窪み（２２）における確実な係合に対して適合される、請求項１または２に記載の収納装置。
【請求項４】
ロッキング部分（２１）およびロッキング窪み（２２）は、ロッキング窪み（２２）内においてロッキング部分（２１）の確実な係合を容易にするように相補的な形状である、請求項１〜３のいずれかに記載の収納装置。
【請求項５】
カバーフレーム（８）は、上方向に突出するカラー部をさらに含み、カラー部は、さらなる収納装置がそこに座することができるよう構成される、請求項１〜４のいずれかに記載の収納装置。
【請求項６】
収納装置は、容器（１）が組立てられた構成にあるとき、側部開口部（６）を通って容器の内部（７）へのアクセスをあたえる側部閉鎖手段（１１）を含む、請求項５に記載の収納装置。
【請求項７】
側部閉鎖手段（１１）は、閉鎖可能なフラップもしくは扉またははぎ取り式の廃棄可能部を含む、請求項６に記載の収納装置。
【請求項８】
カバーフレーム（８）は、側部閉鎖手段（１１）が容器（１）の側部開口部（６）の閉鎖のためにカバーフレーム（８）内に挿入されることを可能にするガイド手段（６０）を含む、請求項６または７に記載の収納装置。
【請求項９】
容器の側壁（４）は側壁接続手段（４００）を設けられる、請求項１〜８のいずれかに記載の収納装置。
【請求項１０】
平面のセクション（３）、側壁（４）またはカバーフレーム（８）の１つ以上は、突起（９）のアレイを含む、請求項１〜９のいずれかに記載の収納装置。
【請求項１１】
１つ以上の突起（９）は少なくとも１つの通気口（１０）を含む、請求項１０に記載の収納装置。
【請求項１２】
１つ以上の突起（９）は５つの通気口（１０）を含む、請求項１０または１１に記載の収納装置。
【請求項１３】
通気口（１０）の位置および向きは、空気の通過を可能にするが、直接落下する埃は収納装置に入らないようにする、請求項１１または１２に記載の収納装置。
【請求項１４】
少なくとも１つの通気口は、平面のセクション（３）および側壁（４）の内部表面上に構成される、請求項１１〜１３のいずれかに記載の収納装置。
【請求項１５】
収納装置は透明材料から構築される、請求項１〜１４のいずれかに記載の収納装置。
【請求項１６】
平面のセクション（３）および側壁（４）は、容器（１）が潰された構成にあるとき、カバーフレーム（８）内に含まれるよう適合される、請求項１〜１５のいずれかに記載の収納装置。
【請求項１７】
カバーフレーム（８）は、当該カバーフレーム（８）を近接する収納装置のカバーフレーム（８）に固定するための側部コネクタ（１２）を含む、請求項１〜１６のいずれかに記載の収納装置。
【請求項１８】
コネクタ（１２）は、舌型（１２ａ）および溝型（１２ｂ）コネクタである、請求項１７に記載の収納装置。
【請求項１９】
容器（１）の平面のセクション（３）は、確実な積重ねを容易にするように別の収納装置のカバーフレーム（８）から延在する突起（１５）を受けるための接続穴（１５ａ）を含む、請求項１〜１８のいずれかに記載の収納装置。
【請求項２０】
容器（１）の平面のセクション（３）は、床係合足部（１４）または床係合キャスターを取付ける、請求項１〜１９のいずれかに記載の収納装置。
【請求項２１】
容器（１）の平面のセクション（３）は、平面のセクション（３）において突起（１４）によって形成された床係合足部を取付ける、請求項１〜２０のいずれかに記載の収納装置。
【請求項２２】
収納装置は、シート材料、波状の材料、成型されたプラスチック、および厚紙の１つ以上から形成される、請求項１〜２１のいずれかに記載の収納装置。
【請求項２３】
収納装置は、ある種の曝気チャンバを形成するように収納装置の平面のセクション（３）上に挿入するためのトレイ（３０）または引出しを含む、請求項１〜２２のいずれかに記載の収納装置。
【請求項２４】
トレイ（３０）または引出しを平面のセクション（３）の内表面の上に上げて、間隙を、そこにおいて、平面のセクション（３）とトレイ（３０）との間に形成する、請求項２３に記載の収納装置。
【請求項２５】
トレイ（３０）は穴（３２）を含む、請求項２３または２４に記載の収納装置。
【請求項２６】
請求項１〜２５のいずれかに記載の収納装置を複数個含む収納システム。
【発明の詳細な説明】
【技術分野】
【０００１】
この発明は、収納装置および収納システムに関し、およびに、特に、一度直立させると、他の近接する収納装置に連結されてモジュール式の収納システムを形成することができる収納装置に関する。
【背景技術】
【０００２】
現在、異なる種類の物品または製品を収納するのに好適な多くの公知の収納装置がある。たとえば、果物または野菜のような腐敗しやすい品目を収納するための多数の装置がある。そのような収納装置はワックスをかけられたカートンまたはワックスをかけていないカートンを含み、それらカートンは、トレイまたは２ピースの形式である。通常、カートンは、不必要な無駄を低減するよう店で準備ができるように、構成される。しかしながら、これらのカートンは返却不可であり、店または末端ユーザによって廃棄される。
【０００３】
靴、サンダル、ブーツなどのような履物を収納するためのさらに多数の収納装置がある。履物を収納するのに好適な収納装置は、たとえば、靴棚、整理用品、回転する台座などを含む。しかしながら、これらの装置は周辺環境に開いており、その結果、収納された履物は、周囲の埃粒子に晒され、損傷を受けやすい。これらの理由で、そのような品目を封止された容器に収納することは好ましい。
【０００４】
公知の封止された収納装置の例は厚紙および透明なプラスチックの箱または容器を含む。さらに、そのような装置は、衣類または寝具の物品のような他の品目を収納するのに好適である。そのような箱または容器の従来の設計は、一方が他方の上に積重ねられるように容器を積重ねられるように積重ねることを容易にする。しかしながら、そのような積重ねられた構成では、第一に、中に含まれる品目にアクセスするために、積重ねから容器を取外すことが必要である。さらなる問題が、容器を収納するまたは運ぶ際の履物の換気および空間浪費に関して生じる。
【発明の概要】
【発明が解決しようとする課題】
【０００５】
したがって、この発明の目的は、異なる種類の製品および物品を収納するのに好適であり、上記の問題を克服することに向けて少なくともいくらか前進し、ならびに／または有用な代替物を公および／もしくは産業にあたえる、収納容器およびクロージャを提供することである。
【０００６】
用語「含む」は、変動する管轄の下で、排他的または包括的な意味をあたえられ得ることが認められる。この明細書の目的では、および、そうではないと明示的に注記されない限り、用語「含む」は、包括的な意味を有するものとする―つまり、それは、それが直接参照する、挙げられた構成要素だけでなく、他の指定されていない構成要素も包含することを意味するようとられ得る。したがって、用語「含む」は、任意の所与の管轄内においてできるだけより広い解釈で帰着することになり、この理由付けは、用語「含まれた」および/または「含んでいる」などが用いられるときも用いられるべきである。
【課題を解決するための手段】
【０００７】
この発明のさらなる局面は、例としてのみあたえられる、以下の記載から明らかになる。
【０００８】
この発明の第１の局面によれば、収納装置は、
平面のセクションと、平面のセクションに旋回可能に連結された側壁とを有する容器を含み、容器は、容器が実質的に平坦である潰された構成と容器の内部への開口部を規定する組立てられた構成との間において可動であり、収納装置はさらに、
カバーフレームと、
容器の開口部を閉じるようにカバーフレームを側壁に固定するためのロッキング手段とを含み、
それによって、ロッキング手段は、カバーフレームおよび側壁の一方に形成されたロッキング部分と、カバーフレームおよび側壁の他方の１つに形成されたロッキング窪みとを含み、ロッキング部分はロッキング窪みにおける確実な係合に対して適合される。
【０００９】
この発明は、したがって、組立てられカバーフレームにロックされて剛性構造を形成することができる、折畳み可能な収納装置を提供する。ロッキング部分および窪みを含むロッキング手段の使用は、剛性の閉じた収納装置を形成するために、実質的に剛性の構造である封止フレームユニットが容器に効果的に留まることを保証する。収納装置の構築は、カバーフレームを嵌めるとき、側壁を反らせるかまたは側壁に応力をかけることができるようにされ、したがって、固定されたとき、カバーフレームおよび側壁は堅固な剛性の構築物となる。この発明の好ましい実施例では、ロッキング部分および窪みはロッキング窪み内においてロッキング部分の確実な係合を容易にするように相補的な形状である。
【００１０】
収納装置内の容器の位置およびカバーフレームは交換可能であることが理解されるべきである。したがって、この発明の１つの構成において、容器は収納装置の基部を形成し、カバーフレームは収納装置の頂部または蓋を形成する。代替的な構成では、カバーフレームは収納装置の基部を形成し、容器は収納装置の蓋を形成する。
【００１１】
以下の記載における参照は履物を収納するように用いられるこの発明に対してなされるが、必要または所望されるように、帽子、衣類、下着、寝具などのアパレル品目を含むがそれらに限定はされない他の品目の収納のために、収納装置が用いられてもよいことが理解される。さらに、この発明が果物および野菜のような腐敗しやすい食物品目を含む多種類の生産物の保管および輸送における使用に好適であることも明らかである。したがって、履物を収納するためのこの発明の使用への言及は、限定と見なされるべきではない。
【００１２】
この発明の別の実施例では、カバーフレームは下方へ突出するスカートを含み、ロッキング部分および窪みの一方はスカート上にあり、ロッキング部分および窪みの他方は容器の側壁上にある。
【００１３】
好ましくは、ロッキング手段は、カバーフレームおよび側壁の一方に形成された複数のロッキング部分と、カバーフレームおよび側壁の他方に形成された複数のロッキング窪みとを含み、ロッキング部分はロッキング窪みにおける確実な係合に対して適合される。選択肢的に、ロッキング手段は、封止フレームユニットおよび側壁の一方に形成された４対のロッキング部分と、カバーフレームおよび側壁の他方に形成された４対のロッキング窪みとを含み、各ロッキング部分は相補的なロッキング窪みにおける確実な係合に対して適合される。
【００１４】
この発明のさらなる実施例では、カバーフレームは、さらに、上方向に突出するカラー部を含む。便利なことに、上方向に突出するカラー部はさらなる収納装置がカラー部分内に座することを可能にするように構成され、したがって、さらなる収納装置は、カバーフレームのカラー部によって確実に保持されて、１つ以上の収納装置が互いの上に確実に積重なるのを容易にする。
【００１５】
選択肢的に、この発明のさらなる実施例では、カバーフレームは下方へ突出するスカートおよび上方向に突出するカラー部の両方を含む。
【００１６】
この発明のさらなる実施例では、容器が組立てられた構成にあるとき、側壁が容器の内部への側部開口部をさらに規定するように、容器の側壁は構成される。これは、カバーフレームを取外したり、または収納装置が積重ねられた構成の一部であるとき収納装置の集まりから当該収納装置を取外す必要なしに、ユーザが容器の内部にアクセスすることを可能にする。
【００１７】
好ましくは、収納装置は、容器が組立てられた構成にあるとき、側部開口部を介して容器の内部へのアクセスをあたえる側部閉鎖手段を含む。
【００１８】
便利なことに、この発明の一実施例では、側部閉鎖手段は閉鎖可能なフラップまたは扉を含む。そのようなフラップまたは扉は、容器の内容物にアクセスする手段をあたえ、したがって、積重ねられた構成におけるとき、他の収納装置を乱すことなく、収納装置における収納物品の回収および配置を可能にする。
【００１９】
選択肢的に、この発明のさらなる実施例では、側部閉鎖手段は、はぎ取り式の廃棄可能部によって覆われる開口部をさらに含む。便利なことに、開口部は、ユーザが容器の内部内に保持された内容物にアクセスできるようにサイズ決めされ形状化される。このようにして、満載の収納装置を、その内容物を破損したり緩めたりせずに、確実に運ぶことができる。さらに、満載の収納装置を受けたユーザは、はぎ取り部を取外すことによって収納装置の内容物を容易に回収することができる。
【００２０】
この発明のさらなる実施例では、側部閉鎖手段ははぎ取り式の廃棄可能部を含む。
この発明のさらなる実施例では、カバーフレームは、側部閉鎖手段が容器の側部開口部の閉鎖のためにカバーフレーム内に挿入されることを可能にするガイド手段を設けられる。
【００２１】
この発明のさらなる実施例では、容器は側壁を安定させる手段を設けられる。好ましくは、この発明の一実施例では、側壁を安定させる手段は、容器の側壁上に支持脚部として設けられる。容器が組立てられた構成にあるとき、支持脚部は容器の平面の部分と係合し、それによって、側壁が容器の内部内に折畳むのを防ぐ。理想的には、容器が実質的に平坦な潰された構成にあるとき、側壁支持脚部は容器の平面の部分とは係合しない。この発明の好ましい実施例では、側壁を安定させる手段は、容器の側壁上において対向位置において設けられる。
【００２２】
この発明の一実施例では、側壁を安定させる手段は、容器の内部への側部開口部に近接するように設けられる。これは、側部開口部で側壁にさらなる安定性および強度をあたえ、したがって、カバーフレームおよび側壁がともに固定されるとき、側部開口部を有する収納装置が堅固な剛性の構築物であることを確実にする。このようにして、この発明の収納装置は、収納装置が積重ねられた構成の一部であるときに、側壁がさらなる応力のために変形することなく、さらなる重量を支持する。
【００２３】
便利なことに、側壁を安定させる手段の寸法は、当業者によって理解される収納装置の測定値に比例して保持される。したがって、側壁を安定させる手段は、収納装置の幅および高さが増加するとともに、サイズおよび数が増加する。
【００２４】
この発明のさらなる実施例では、容器の側壁は側壁接続手段をあたえられる。便利なことに、これは別個の壁セクションを含む側壁の提供を容易にする。このようにして、側壁の別個の壁セクションは所望のように一枚の壁を形成するようにともに固定することができる。側壁接続手段によって、側壁の近接するセクションは、潰された構成におけるとき、分離することができ、組立てられた構成におけるとき、再統合され、連続的な側壁を形成することができる。
【００２５】
この発明の別の実施例では、基部、側壁およびカバーフレームの１つ以上は、突起のアレイを含む。
【００２６】
好ましくは、各突起は少なくとも１つの通気口を含む。これは、保管中に臭気の停滞および蓄積を防ぐように容器を通る空気流を可能にする。着用後に収納される場合、履物と収納装置の内部の雰囲気との間の温度差は、圧力差を引起し、流れが生じていかなる臭気も換気する。
【００２７】
特定の実施例では、各突起は５つの通気口を含む。
好ましくは、通気口の位置および向きは、空気の通過を可能にするが、直接落下する埃は収納装置に入らないようにする。
【００２８】
この発明の別の実施例では、通気口は基部および側壁の内部表面上に構成され、上方向に向く。これは、湿った空気および埃の下方への落下から換気システムを保護する。熱で駆動される、より暖かく清浄な空気が上昇して、除湿、抗真菌、抗菌および脱臭空気流が、靴のような収納された物品を保護し調節する。
【００２９】
この発明のさらなる実施例では、収納装置は、１つ以上の突起上、および基部または側壁の内部表面上に、通気口を設けられる。
【００３０】
好ましくは、収納装置は透明材料から構築される。この利点は、収納装置内に保持された物品がユーザに見えるということである。
【００３１】
この発明の別の実施例では、潰された構成にあるとき、基部および側壁は、カバーフレーム内に含まれるよう適合される。このように、使用されていないとき、この発明の収納装置は、保管用に折畳んだり、再包装のために出所に返すことができる。さらに、容器および／または容器のカバーフレームの各々は、保管用に、または再包装のために出所に返すために、各々別々に折畳むことができることも理解される。
【００３２】
この発明の別の実施例では、カバーフレームは、当該カバーフレームを近接する収納装置のカバーフレームに固定するための側部コネクタを含む。
【００３３】
好ましくは、コネクタは舌型および溝型コネクタである。
この発明の一実施例では、容器の基部は、別の収納装置のカバーフレームから延在する突起を受けるための接続穴を含むことにより、確実な積重ねを容易にする。
【００３４】
この発明の別の実施例では、基部は床係合足部を取付ける。
好ましくは、床係合足部は、基部において突起によって形成される。そのような特徴は、基部の主表面が床から上げられることを可能にし、表面接触および表面張力を最小限にして、木材、カーペット、タイルなどのような床面上で、滑らかで容易な移動を可能にする。
【００３５】
代替的実施例では、基部は、床係合キャスターを取付ける。
好ましくは、収納装置は、シート材料、波状の材料、押出成型プラスチック、真空、回転または風成型プラスチック、厚紙およびハイブリッド材料の１つ以上からから形成される。
【００３６】
好ましくは、収納装置は、一種の曝気チャンバを形成するように収納装置の基部上に挿入するためのトレイまたは引出しを含む。選択肢的に、トレイまたは引出しは、基部の内表面の上方に上げられて、間隙をそこにおいて基部とトレイとの間に形成する。一実施例では、トレイは、収納装置に収納される靴または製品の下に増強された空気チャンバを形成するために穴を含む。
【００３７】
この発明のさらなる局面によれば、第１の局面に従って構成された複数個の収納装置を含む収納システムが設けられる。
【００３８】
この発明は、添付の図面を参照して、例としてのみあたえられたそのいくつかの実施例の以下の記載から、より明確に理解される。
【図面の簡単な説明】
【００３９】
【図１ａ】この発明に従って構成された収納装置を示す斜視図である。
【図１ｂ】この発明に従って構成された収納装置を示す頂面図である。
【図１ｃ】この発明に従って構成された収納装置を示す側面図である。
【図１ｄ】この発明に従って構成された収納装置を示す端面図である。
【図２】フラップ扉が開いている図１ａの収納装置を示す斜視図である。
【図３】フラップ扉のない図１ａの収納装置を示す斜視図である。
【図４ａ】潰された構成における図１ａの収納装置に対する基部および側壁の上面図である。
【図４ｂ】図４ａの側壁接続手段の拡大された断面図である。
【図４ｃ】潰された構成における図４ａの収納装置の側壁安定化手段の拡大された断面図である。
【図４ｄ】組立てられた構成における図４ｃの側壁安定化手段の拡大された断面図である。
【図５ａ】基部および側壁が組立てられた構成における図４ａの収納装置の側面図である。
【図５ｂ】基部および側壁が組立てられた構成における図４ａの収納装置の側面図である。
【図５ｃ】基部および側壁が組立てられた構成における図４ａの収納装置の端面図である。
【図５ｄ】基部および側壁が組立てられた構成における図４ａの収納装置の底面図である。
【図５ｅ】基部および側壁が組立てられた構成における図４ａの収納装置の頂面図である。
【図５ｆ】基部および側壁が組立てられた構成における図４ａの収納装置の正面図である。
【図５ｇ】基部および側壁が組立てられた構成における図４ａの斜視図である。
【図６ａ】図１に示される収納装置のためのカバーフレームの斜視図である。
【図６ｂ】図６ａのカバーフレームから延在するこの発明の好ましい実施例における収納装置の積重ねられた構成を支持するために用いられる接続の拡大された断面図である。
【図７】図６ａのカバーフレームを示す下側図である。
【図８ａ】フラップ扉を示す正面図である。
【図８ｂ】フラップ扉を示す側面図である。
【図８ｃ】図１のカバーフレームによって適所に保持された、図８ａおよび図８ｂのフラップ扉の正面図である。
【図８ｄ】図８ａおよび図８ｂのフラップ扉を支持するためのカバーフレームのガイド手段の、拡大された斜視断面図である。
【図９】近接する収納装置の相互接続された封止フレームユニットの対の斜視図である。
【図１０】この発明のロッキング手段を示す、図１の収納装置の斜視図である。
【図１１】この発明のロッキング手段を示す、図１の収納装置の斜視図である。
【図１２ａ】図１の収納装置との使用に好適な曝気チャンバの斜視図である。
【図１２ｂ】図１の収納装置との使用に好適な曝気チャンバの斜視図である。
【図１３ａ】収納装置の側壁にカバーフレームを固定する代替的な手段を示す斜視図である。
【図１３ｂ】収納装置の側壁にカバーフレームを固定する代替的な手段を示す斜視図である。
【図１３ｃ】収納装置の側壁にカバーフレームを固定する代替的な手段を示す斜視図である。
【図１４】収納装置のカバーフレームまたは側壁に設けられた、成型されたポスト３８を示す斜視図である。
【図１５】収納装置のカバーフレーム８における複数個のオフセットチャネル４０を示す。
【図１６ａ】収納装置のカバーフレームと側壁との間の、波または波打ったリンクを示す斜視図である。
【図１６ｂ】収納装置のカバーフレームと側壁との間の、波または波打ったリンクを示す斜視図である。
【図１７】波打った表面を有する側壁およびカバーフレームを有する収納装置の斜視図である。
【発明を実施するための形態】
【００４０】
図面、および初めに図１−図５ｇを参照して、この発明に従って構成される、参照番号１によって概ね示される、容器として形成された収納装置が示される。容器１は、シート材料、波状の材料、押出成型プラスチック、真空、回転または風成型プラスチック、厚紙およびハイブリッド材料から形成されてもよい。各々上に積重ねられ、並んだ態様で接続された複数個の容器１を含む収納システムも、この発明のさらなる局面に構想される。
【００４１】
容器は、基部または平面のセクション３、および側壁４を含む。この発明のこの実施例を記載する目的のために、「基部」および「平面のセクション」という用語は交換可能に用いられる。示された実施例では、側壁４は別個の壁セクション４ａ、４ｂおよび４ｃを含み、各々は、旋回可能に基部３に連結されて、容器１が、実質的に平坦である、図４ａに示されるように潰された構成と、図５ａ〜図５ｇに示されるように、組立てられた構成との間で可動なようにされる。組立てられた構成では、容器１の内部７への、参照番号５によって概ね示された頂部開口部、および参照番号６によって概ね示された前部開口部がある。
【００４２】
付加的な内部支持接続およびクリップを設けて、側壁４ａ、４ｂおよび４ｃを基部３とともにロックすることにより、安定性、強さおよび剛性を追加する。別個の壁セクション４ａ、４ｂおよび４ｃは側壁接続手段４００を設けられる。示された実施例では、側壁接続手段４００は、特定的に図４ｂおよび図５ａ−図５ｃに示されるように、対応する開口部４２０に挿入されるタブ４１０を含む。開口部４２０は、タブ４１０に対する抵抗嵌め合いをあたえるようサイズ決めされ形状化される。
【００４３】
基部３は、容器１を床に沿って容易に移動させることを可能にするための床係合足部、キャスターまたは他の手段を選択肢的に含んでもよい。床係合足部は基部３において形成された突起１４によって形成されてもよい。そのような特徴は、基部３が床から上げられることを保証し、一方、さらに、表面接触および張力を最小限にして、木材、カーペット、タイルなどのような床面上で、滑らかで容易な移動を可能にする。
【００４４】
示された実例では、基部３、側壁４およびカバーフレーム８は、突起９のアレイまたは配列を含む。側壁４上の突起の各々は、上方向に向く複数個の通気口１０を含む。これは、湿った空気および埃の下方への落下から換気システムを保護する。通気口１０は、物品の保管中に臭気の停滞と蓄積を防ぐよう、容器を通る空気流を可能にする。通気口１０の位置および向きは、容器１を通した空気の通過を可能にするが、直接落下する埃は容器に入らないようにする。示された実例では、さらなる通気口１００が基部の内部表面上に構成される。熱で駆動される、より暖かく清浄な空気が上昇して、除湿、抗真菌、抗菌および脱臭空気流が、靴のような収納された物品を保護し調節する。
【００４５】
容器１の基部３は、別の容器のカバーフレーム８から（図６ｂに示されるように）突起１５を受けるための接続穴１５ａを含むことにより、確実な積重ねを容易にする。
【００４６】
特定的に図４ｃおよび図４ｄを参照して、支持脚部５１を含む側壁安定化手段５０が示される。支持脚部５１は、側壁４の面から垂直に突出するように側壁４に取付けられている。したがって、側壁４が潰された実質的に平坦な構成から組立てられた構成に移動するとき、支持脚部５１の基部５１ａは容器１の平面のセクションまたは基部３と当接し、それによって、側壁４が容器１の内部７内に折り込まれるのを防ぐ。
【００４７】
収納装置は、さらに、頂部開口部５を閉じるために、図６ａ、図６ｂおよび図７に示される除去可能なカバーフレーム８を含む。カバーフレーム８は、剛性の閉じた箱を形成するよう側壁４に固定可能な実質的に剛性の構造である。カバーフレームは、頂部壁１６、および下方へ突出するスカート１７を含む。
【００４８】
潰された構成におけるとき、基部３および側壁４は、カバーフレーム８内において含まれるよう適合される。カバーフレーム８は、したがって、直立時に側壁４を堅く保持するよう設計され構築される。さらに、それは、１つの容器１を別の容器の上に保持し積重ねるよう設計される。カバーフレーム８は、さらに、側部を堅く保持し、かつさらに取り外し可能な頂部／カバーフレームが中に構築されるよう、フレームとして二重の目的を有してもよい。ガイド手段６０がカバーフレーム８の上に設けられ、それは容器１において製品についての写真または情報を保持するように透明なエンベロープを落とすよう用いられてもよい。
【００４９】
カバーフレーム８は、（図９において示されるように）１つの収納装置のカバーフレームを、近接する収納装置のカバーフレームに固定するために、参照番号１２によって概ね示される、側部コネクタを含む。示された実例では、コネクタ１２は舌型および溝型コネクタであり、舌部１２ａは、近接する収納装置１のカバーフレーム８における相補的な窪みまたは溝１２ｂにおいて係合して、収納システムを形成する。
【００５０】
容器１は、さらに、容器が組立てられた構成にあるとき、前部開口部６を通る容器１の内部７へのアクセスをあたえる、閉鎖可能なフラップまたは扉１１を含む。そのような構成は、積重ねられた構成におけるとき、他の収納装置を乱すことなく、収納装置における収納物品の回収および配置を可能にする。
【００５１】
ここで、図８ａ−図８ｄを参照して、参照番号１１によって概ね示された、フラップまたは扉として形成された側部閉鎖手段が示される。扉１１は、円筒形部分またはバー１１２から突出する主に平面の扉部分１１０を含む。平面の扉部分１１０は、カバーフレーム８のガイド手段６０内に入れることができるようにサイズ決めされ形状化される。ガイド手段６０は、間隔を置かれたフックの対６１、および対応する停止手段６２を含む。円筒形部分またはバー１１２はフック６１に入れられる。停止手段６２は、円筒形部分またはバー１１２がフック６１から出るのを防ぐが、十分なあそびがガイド手段６０内にあたえられて、バー１１２が長手方向の円筒形軸のまわりを自由に移動または回転することを可能にする。
【００５２】
扉１１は、取っ手１１４およびラッチ手段１１６をさらにあたえられる。示された実施例では、取っ手１１４は、平面の扉部分１１０からの反対方向に垂直に突出する２つのセクション１１４ａおよび１１４ｂにおいて形成される。第１のセクション１１４ａと第２のセクション１１４ｂとの間に開口部があり、このように、十分な間隙があたえられて、空気が循環することを可能にし、ユーザが指を挿入して扉１１を移動または操作することを可能にする。基部３は唇状部３ａを設けられる。ラッチ手段１１６は、唇状部３ａの後ろに確実に座し、外力の適用なしではこの位置から移動することはできない。外力の適用は扉１１をわずかに持上げ、ラッチ手段１１６は唇状部３ａを克服し、したがって、扉１１を解放し、それが円筒形バー１１２のまわりを自由に回転することを可能にする。
【００５３】
図１０および図１１において示されるように、参照番号２０によって概ね示されるロッキング手段は、容器１の頂部開口部を閉じるようにカバーフレーム８を側壁４に固定するために設けられる。ロッキング手段２０は、示された例においてはカバーフレーム８上に設けられるロッキング歯２１と、側壁４において形成された相補的なロッキング窪み２２とを含む。ロッキング歯２１は、かくして、ロッキング窪み２２における確実な係合に適合される。そのようなロッキング手段の使用は、剛性の収納装置を形成するようカバーフレームが容器１に有効に留まり得ることを保証する。収納装置の構築は、ロッキング手段２０を用いてカバーフレームを嵌めるとき、側壁を反らせるかまたは側壁に応力をかけることができるようにされ、したがって、固定されたとき、カバーフレームおよび側壁は堅固な剛性の構築物となる。
【００５４】
容器１は、好ましくは、透明材料から構築されるが、容器は、必要とされるような、または所望されるような、不透明または任意の種類の材料から形成されてもよいことが理解される。容器１は、履物を含むが、それに限定はされない、様々な製品を収納するために用いられてもよい。
【００５５】
この発明は、したがって、各容器１がハト穴のネットワークを形成するように他のものに接続されてもよい、多数の容器１から構築されたモジュール式の収納策を提供する。各容器１は折畳み可能であり、輸送のためのコンパクトなユニットを形成するよう折畳むことができる。各容器１は、積込みおよび積降ろしを容易にするために、フラップ前面扉１１を通ってアクセスすることができる。側壁４および平面のセクション３における突起／起伏９は、空気の流れを容易にする穴１０のシステムを含んでいる。この空気の流れは収納時の臭気の停滞および蓄積を防ぐよう設計される。穴１０の位置および向きは、空気の通過を可能にするが、直接落下する埃は容器１に入らないようにする。容器１の設計は、剛性の閉じた箱を形成するために平面のセクション３および側壁４に留まるカバーフレーム８を含む、２つの部品または３つの部品にあり得る。前面のフラップまたは扉１１は、カバーフレーム８、平面のセクション３、および／または側壁４に留まる、別個の構成要素であり得、３ピース構築物を形成する。
【００５６】
カバーフレーム８の構築は、平面のセクション３および側壁４が嵌合いの動作によって反らされて、側部に応力を引起し、構築物をより剛性にするように、なされる。さらに、容器１は昆虫に抵抗力がある。通気表面が上への傾斜した表面領域上に主にあるように、通気構造１０は突起９において構成される。半月形および他の通気位置の独自の景観は、これらのベントが容器の内側上にあり上方向に向くことを保証する。これは、湿った空気および埃の下方への落下から換気システムを保護する。熱で駆動される、より暖かく清浄な空気が上昇して、除湿、抗真菌、抗菌および脱臭空気流が、靴を保護し調節する。必要とされれば、カバーフレーム８はさらに頂部開口部特徴を有することができる。容器１は、製品の保護のための紫外線の色調を有する材料を含むように構築することができる。カバーフレーム８は、側部を堅く、かつ直立に保つ、横向きの力を生み出すよう設計される。カバーフレーム８は、逆に用いられる場合、箱を上にまたは下に保持するようにリムの内側に捕捉点を有する。
【００５７】
この発明の有用な機能は、したがって、中の製品の可視の識別を可能にするということである。容器１は入れ子にするか、積重ねるか、または折畳むことができる。透明プラスチックの使用、ならびに箱の積重ねを解除せずに靴および他の製品を回収および収納する能力も、有利である。容器は、すべての種類およびサイズの履物または他の収納された物品にフィットするよう、多くのサイズにおいて利用可能となる。
【００５８】
図１２ａおよび図１２ｂを参照して、一種の曝気チャンバを形成するように収納装置１の基部３上に挿入するためのトレイまたは引出し３０が示される。示された事例では、トレイ３０は、基部３の内表面の上方に上げられて、間隙をその間に形成する。トレイ３０は、選択肢的にクラスタ状にされてもよい穴３２を含んでもよく、それらは、床より上に位置し、基部３において突起１４を係合してもよい。この特徴も収納装置１と無関係に用いられてもよい。トレイインサート３０の使用は、収納装置１において収納される靴または製品の下に増強された空気チャンバを生じさせる。このチャンバによって形成された追加の自然な空気流は、収納された製品のための臭気の散逸、より大きな除湿、抗真菌／抗菌および乾燥特性を可能にする。それは、チャンバ内に空気処理のための物質を導入することを可能にする。これらの物質は収納された製品から隔離されるかまたは物理的に分離される。ポットポプリ、香水、エアフレッシュナー、他の芳香製品、抗菌性、抗細菌性、害虫忌避性、脱湿性、または任意の他の製品ケア物質を含む物質を、求められるように、トレイ３０の下に置くことができる。
【００５９】
図１３ａ−図１３ｃを参照して、カバーフレーム８および／または基部３はそれに穴３４を有することにより、カバーフレーム８を通って、および収納装置１の側壁４に位置する対応する受け穴３６内に挿入されるべき、プラスチック、ねじ、爪などを含む固定具３５の導入を可能にする。そのような特徴は、側壁４に剛性を追加する。図１５において示されるように、成型されたポスト３８は、さらに、雄／雌の捕捉点または封止フレームユニット／基部および側壁の連結をあたえるために、カバーフレーム８、基部３または側壁４から突出してもよい。波状のプラスチックまたは厚紙側部を用いる場合、この特徴は特に有用である。図１５において示されるように、カバーフレーム８において複数個のオフセットチャネル４０によってさらなる剛性をあたえてもよい。図１６ａおよび１６ｂに示されるように、さらにさらなる剛性が、カバーフレーム８と側部４の間の波または波打ったリンク４２を用いてあたえられてもよい。
【００６０】
代替的実施例では、および図１７において示されるように、側壁４およびカバーフレーム８は、収納装置１に波状の外観をあたえるよう、起伏４６を含んでもよい。
【００６１】
この発明は、例としてのみあたえられる、ここに記載された特定の詳細に制限されず、さまざまな修正および変更がこの発明の範囲内で可能なことが、当然理解される。
【図１ａ】
0005758890.tif 000002
【図１ｂ】
0005758890.tif 000003
【図１ｃ】
0005758890.tif 000004
【図１ｄ】
0005758890.tif 000005
【図２】
0005758890.tif 000006
【図３】
0005758890.tif 000007
【図４ａ】
0005758890.tif 000008
【図４ｂ】
0005758890.tif 000009
【図４ｃ】
0005758890.tif 000010
【図４ｄ】
0005758890.tif 000011
【図５ａ】
0005758890.tif 000012
【図５ｂ】
0005758890.tif 000013
【図５ｃ】
0005758890.tif 000014
【図５ｄ】
0005758890.tif 000015
【図５ｅ】
0005758890.tif 000016
【図５ｆ】
0005758890.tif 000017
【図５ｇ】
0005758890.tif 000018
【図６ａ】
0005758890.tif 000019
【図６ｂ】
0005758890.tif 000020
【図７】
0005758890.tif 000021
【図８ａ】
0005758890.tif 000022
【図８ｂ】
0005758890.tif 000023
【図８ｃ】
0005758890.tif 000024
【図８ｄ】
0005758890.tif 000025
【図９】
0005758890.tif 000026
【図１０】
0005758890.tif 000027
【図１１】
0005758890.tif 000028
【図１２ａ】
0005758890.tif 000029
【図１２ｂ】
0005758890.tif 000030
【図１３ａ】
0005758890.tif 000031
【図１３ｂ】
0005758890.tif 000032
【図１３ｃ】
0005758890.tif 000033
【図１４】
0005758890.tif 000034
【図１５】
0005758890.tif 000035
【図１６ａ】
0005758890.tif 000036
【図１６ｂ】
0005758890.tif 000037
【図１７】
0005758890.tif 000038